(57)【要約】【課題】従来例におけるアーム同士の連結構造としては、第１のアームは蒸気発生装置に対して垂直方向に回動自在に形成され、第２のアームは第１のアームの軸線上での軸回転のみであるため、第２のアームにおける蒸気噴出口を被施術者の顔方向に向けることは可能であるが、蒸気噴出口を顔に近づけたり、顔から遠ざけたりすることはできず、これを行う場合には蒸気発生装置全体を移動するしかなく、作業性が悪いといった問題があった。【解決手段】タンク７からの蒸気が導入される第１のアーム１３と、被施術者の顔に蒸気を噴霧する蒸気噴射口２０ａが設けられた該第２のアーム１８との接続構造であって、前記第１のアームと第２のアームとの接合部に互いに係合可能に形成された球状の継手部１３ｂ，１８ａを形成すると共に、スプリング１９のバネ力によって前記継手部を互いに結合する方向にバネ付勢した理美容用蒸気発生装置におけるアーム構造である。【選択図】　　　　図６
2004121665.tif 000002
【特許請求の範囲】
【請求項１】
タンクからの蒸気が導入される第１のアームと、被施術者の顔に蒸気を噴霧する蒸気噴射口が設けられた該第２のアームとの接続構造であって、前記第１のアームと第２のアームとの接合部に互いに係合可能に形成された球状の継手部を形成すると共に、スプリングのバネ力によって前記継手部を互いに結合する方向にバネ付勢したことを特徴とする理美容用蒸気発生装置におけるアーム構造。
【請求項２】
前記第１のアーム内には蒸気が導入される蒸気管が設けられており、該蒸気管は第１アームの内周面に形成された少なくとも１個の補強を兼ねるリブに取付けられた耐熱性ゴム等の支持リングによって位置決め保持されていることを特徴とする請求項１記載の理美容用蒸気発生装置におけるアーム構造。
【請求項３】
前記第１および第２のアームは透明または半透明な長手方向に分割された合成樹脂で形成されていることを特徴とする請求項１記載の理美容用蒸気発生装置におけるアーム構造。
【発明の詳細な説明】
【０００１】
【発明の属する技術分野】
本発明はエステテックサロン等の理美容院において、エステ施術の１つである被施術者の顔の部分に蒸気を当てて、血行と新陳代謝の促進を促すことができる理美容用蒸気発生装置におけるアーム構造の改良に関する。
【０００２】
【従来の技術】
従来におけるこの種の蒸気発生装置のとしては、例えば、実開昭５７−７４０４１号公報に開示されたものがある。この出願におけるアームの構造は、第１のアーム（支持腕ケース１５）と第２のアーム（ノズルケース１７）とはカラーによんで連結され回動自在に形成されたものである。
【０００３】
【特許文献】実開昭５７−７４０４１号公報
【０００４】
【発明が解決しようとする課題】
ところで、前記した従来例におけるアーム同士の連結構造としては、第１のアームは蒸気発生装置に対して垂直方向に回動自在に形成され、第２のアームは第１のアームの軸線上での軸回転のみであるため、第２のアームにおける蒸気噴出口を被施術者の顔方向に向けることは可能であるが、蒸気噴出口を顔に近づけたり、顔から遠ざけたりすることはできず、これを行う場合には蒸気発生装置全体を移動するしかなく、作業性が悪いといった問題があった。
【０００５】
本発明は前記した問題点を解決せんとするもので、その目的とするところは、第２のアームを第１のアームの先端に対してあらゆる方向に回転可能に取付けたので、被施術者の顔に対して蒸気噴出口を近づけたり遠ざけたり自由に設置することができ、従って、施術者による作業が簡単に行える理美容用蒸気発生装置におけるアーム構造を提供せんとするにある。
【０００６】
【課題を解決するための手段】
本発明の理美容用蒸気発生装置におけるアーム構造は前記した目的を達成せんとするもので、その請求項１の手段は、タンクからの蒸気が導入される第１のアームと、被施術者の顔に蒸気を噴霧する蒸気噴射口が設けられた該第２のアームとの接続構造であって、前記第１のアームと第２のアームとの接合部に互いに係合可能に形成された球状の継手部を形成すると共に、スプリングのバネ力によって前記継手部を互いに結合する方向にバネ付勢したものである。
【０００７】
請求項２の手段は、前記請求項１において、前記第１のアーム内には蒸気が導入される蒸気管が設けられており、該蒸気管は第１アームの内周面に形成された少なくとも１個の補強を兼ねるリブに取付けられた耐熱性ゴム等き支持リングによって位置決め保持されたものである。
【０００８】
【発明の実施の形態】
以下、本発明に係る理美容用蒸気発生装置におけるアーム構造の一実施の形態を図面と共に説明する。
図１は理美容用蒸気発生装置全体の斜視図を示し、同図において、１はキャスター１ａを有する基台にして、該基台１から支柱１ｂが立設されている。前記支柱１ｂの上端には円柱状の軸棒１ｃが固定され、該軸棒１ｃの下端には後述するガラスによって形成されたタンク７を載せるための支持台２が回転自在に取付けられている。また、前記軸棒１ｃの上端には前記タンク７の蓋となり、かつ、後述するヒーター９ａ，９ｂや該ヒーター９ａ，９ｂの温度制御を行う回路等が収容された制御ボックス３が回転自在に取付けられている（図２参照）。
【０００９】
なお、２ａは支持台２と一体的に回動するタンク７を収納するための収納ケースであり、また、前記制御ボックス３の表面にはヒーター９ａ，９ｂの通電開始を行うためのスイッチや時間表示を行うパネルが配置されている。
【００１０】
前記支持台２には図５に示すように、タンク７を安定して載置するための押上皿４が上下動自在に支持されると共に、該押上皿４の中心部分には貫通孔５ａが形成された雄ネジ５が螺合されている。また雄ネジ５の下端には複数の孔５ｂ１　が同心円状に形成された円板５ｂが一体的に形成されている。前記雄ネジ５の前記貫通孔５ａにはノブ６の軸６ａが挿通されると共に上端において抜け止めされている。そして、ノブ６における前記円板５ｂと対向する上面にはバネ６ｂおよびボール６ｃが収納される穴６ｄが１個または複数個形成され、この状態において前記ボール６ｃは前記円板５ｂの孔５ｂ１　に前記バネ６ｂのバネ力によって係合状態となっている。
【００１１】
従って、タンク７を前記支持台２に取付けるには、前記制御ボックス３から支持台２を回転してずらした状態で、制御ボックス３から垂下されているヒーター９ａ，９ｂをタンク７内に挿入し、次いで、支持台２を回転させてタンク７を押上皿４の上に載置する。そして、ノブ６を回転すると、該ノブ６に挿入されているボール６ｃが雄ネジ５の円盤５ｂの孔５ｂ１　に入り込んでいるので、ノブ６の回転に伴って雄ネジ６が一体的に回転し、押上皿４は上昇しタンク７の開口部を制御ボックス３の下面に形成されている底板３ａに形成されたパッキン３ａ１　に押し付けられる。
【００１２】
このようにして、ノブ６の回転に伴ってタンク７が上昇して開口部が前記制御ボックス３のパッキン３ａ１　に一定圧力以上に押し付けられ、すなわち、バネ６ｂのバネ力によるボール６ｃに対する円板５ｂの孔５ａ１　との係合力より強くなると、ボール６ｃが孔５ａ１　から離脱してノブ６の回転に対して円板５はフリーな状態となって、ノブ６は空回りする。従って、押上皿４の上昇が停止して、一定の押圧力でタンク７の開口部とパッキン３ａ１　とは密接した状態となって、ノブ６の回転力に関係なく常に一定の密閉度が得られることとなる。なお、この密閉度はバネ６ｂのバネ力を変えることにより変更可能である。
【００１３】
前記した制御ボックス３における底板３ａの中心にはタンク７に挿入される軸棒８ａに上下２つのフロート８ｂ，８ｃが上下動自在に挿入された水位計８が取付けられており、タンク７の水位が前記２つのフロート８ｂの間に有る場合には正常であるとの信号を、２つのフロートの内の上側のフロート８ｂが軸棒８ａの上端まで押し上げられた場合には水の入れ過ぎであるとの信号を、また、下側のフロート８ｃが軸棒８ａの下端まで降下した場合には水が無くなったとの信号を後述する後述する制御回路３ｉに出力するものである。
【００１４】
また、制御ボックス３の底板３ａには２つのヒーター９ａ，９ｂがタンク７の底面に近い位置まで達するように垂下して取付けられると共に、該２つのヒーター９ａ，９ｂは同心円状となるような形状に形成されている。なお、例えば、ヒーター９ａは７００ワット、ヒーター９ｂは３００ワットのものを使用する。そして、ヒーター９ａ，９ｂは制御回路３ｉに接続されいる（図９参照）。
【００１５】
以下、電源スイッチを閉じてタンク７内の水を９０℃まで上昇させ、この温度で保温する場合の動作を図９（ｂ）のフローチャートと共に説明する。
タンク７内の湯の温度が低い（例えば、室温）状態においてパネルに設けられている電源スイッチを入れると（ステップＳ１）、２つのヒーター９ａ，９ｂに通電を行い（ステップＳ２）、この状態において湯の温度を計測する温度センサーよりの出力を監視して所定の温度（例えば、９０度）に達したか否かを監視する（ステップＳ３）。次いで、前記所定の温度に達したと判断されると、前記２つのヒーター９ａ，９ｂへの通電を遮断する（ステップＳ４）。
【００１６】
次に、温度センサーがタンク内の湯温が所定の温度以下（例えば、８８℃）に低下したか否かを監視し（ステップＳ５）、この８８℃以下を温度センサーが検出すると３００ワットのヒーター９ｂのみに通電し（ステップＳ６）、この通電によって再び９０℃に達したか否かのステップＳ３に戻る制御を行う。なお、施術の実行を行う指令の場合には、前記ステップＳ２において２つのヒーター９ａ，９ｂに通電し１００℃の温度を保つように制御を行う。
【００１７】
このような制御を行うのは、ワット数の大きなヒーター９ａをオン・オフさせても９０度の温度に保つことは可能であるが、このような大きなワット数のヒーター９ａをオン・オフさせると電圧の変動が大きくなって他の機器、例えば、白熱電球等の照度変化が大きくなり、また、オフ状態にして短時間（湯の温度がそれ程低下しない状態、例えば、８８度程度）でオン状態にすると直ちに沸点に達して蒸気が発生するので、オフ状態からある程度の時間（湯の温度がある程度低下した状態、例えば、８０度程度）になるまでオン状態とすることができない。
【００１８】
このように８０度程度まで湯の温度が低下した時に、蒸気を発生させる動作に移行した場合には、湯の温度が低くなっているため蒸気の発生まで時間が掛り、施術するまでの待ち時間が長くなるという問題がある。
【００１９】
そこで、本発明にあっては、ワット数の小さなヒーター９ｂをオン・オフ制御して電圧の変動を少なくすると共に、保温状態の湯の温度がそれ程低下しない状態（例えば、８８度）でオンにして、保温温度に近い温度においてオン・オフ制御して何時でも蒸気発生までの時間を短くできるようにした。
【００２０】
また、前記した制御ボックス３の上部には、中心に向かって降下するテーパー状に形成された仕切り壁３ｂが形成され、かつ、該仕切り壁３ｂの上面に空間部を介して前記ヒーター９ａ，９ｂを制御する制御回路３ｉや水位計８よりの信号を外部に出力する回路等が組み込まれた基板３ｃが取付けられている。さらに、制御ボックス３の外周壁における前記仕切り壁３ｂ下面側との境目にはタンク７内の湯によって発生する熱気を外部に放出するための熱気抜き孔３ｄが形成されている。
【００２１】
前記仕切り壁３ｂは、テーパー状に形成されているので、前記熱気が前記熱気抜き孔３ｄ方向に流れて上方に位置する制御回路３ｉに熱気を伝達することを防止すると共に、制御ボックス３内の温度と室内温度との差が大きく結露が発生して、前記仕切り壁３ｂに付着したとしても、結露が仕切り壁３ｂの上方に位置する制御回路３ｉ内に入り込むのを防止し、かつ、結露の結果発生する水滴が制御ボックス３内全体に飛散するのを防止するためである。
【００２２】
前記制御ボックス３の上方の一部には水供給用の開口部３ｅが形成され、該開口部３ｅには閉じた状態で制御ボックス３の側面壁と上面壁となる断面Ｌ状のキャップ３ｆが側面壁の下端を支点として開閉自在に取付けられている。このキャップ３ｆは開放し状態で側面壁が水を給水パイプ３ｇに導入するための導入部となる。
【００２３】
このように構成したキャップ３ｆにあっては、後述する蒸気導入管の先端に設けられている噴射ノズルが何らかの原因で詰まってタンク内の内圧が上昇した場合であっても、開口部３ｅがキャップ３ｆによって密閉状態とはなっていないので、蒸気が噴出することがなく、また、タンク７内に水を供給する場合にも、開口部全体がキャップ３ｆによって大きくなるので、水の供給を容易に行うことが可能となる。
【００２４】
また、前記給水パイプ３ｇの下端は前記ヒーター９ａ，９ｂの下側まで達する長さに形成されており、これにより、該ヒーター９ａ，９ｂによる加熱よって湯が沸騰して泡が発生した結果によって水位が変動しても、給水パイプ３ｇ内の水位の変動は発生せず、従って、水位の変動によるタンク７内の湯が給水パイプ３ｇから溢れ出るのを防止できる。
【００２５】
前記した制御ボックス３の底板３ａには前記タンク７と連通する蒸気排出孔３ａ２　が形成され、該蒸気排出孔３ａ２　には蒸気導出管３ｈが底板３ａに固定されている。そして、該蒸気導出管３ｈにはＬ字状に形成された第１の蒸気管１０がＯリングを介して回動自在に接続されている。
【００２６】
１１は前記第１の蒸気管１０が挿通された回動管にして、図２において前後方向、図３において左右方向に回動自在に軸支されている。そして、該回動管１０の基端部１１ａは捩じりバネ１２によって前記回動方向に対して直立位置にバネ付勢されている。
【００２７】
前記回動管１１には長手方向に沿って２分割可能な透明合成樹脂製の第１のアーム１３の基端部が固定されると共に、前記第１の蒸気管１０が内部に導入されている。そして、該対１の蒸気管１０の先端部は第１のアーム１３に形成された補強を兼ねるリブ１３ａの内側に取付けられた耐熱性ゴム等の支持リング１４によって位置決め保持されている。従って、第１の蒸気管１０は支持リング１４によってガタなく支持される。
【００２８】
次に、タンク７より発生した蒸気を施術者の顔に噴霧する部分について図６〜図９と共に説明する。なお、図６は第１の実施の形態を示しており、以下、この第１の実施の形態について説明する。
前記した第１のアーム１３内に導入された第１の蒸気管１０は耐熱ゴム等の連結管１０ａを介して第２の蒸気管１５が接続されている。この第２の蒸気管１５の先端部分も図示していないが、第１のアーム１３内において、前記した支持リング１４によって第１のアーム内でガタなく支持されている。
【００２９】
第１のアーム１３の先端は半球より円球側に延長された形状の継手部１３ｂとなっている。この継手部１３ｂの内側には滑り性の高い樹脂による略半球状の継手部１６ａを有する継手管１６が嵌挿され、先端部１６ｂの内周面には前記第２の蒸気管１５と耐熱性および可撓性を有する継手パイプ１５ａを介してパイプ部１７ａが接続された中継管１７が嵌合されている。
【００３０】
また、前記した第１のアーム１３の継手部１３ｂの外周には、第２のアーム１８の基端部に形成された内周面が略半球状に形成された継手部１８ａが嵌挿されている。前記継手管１６の先端側には止めリング１６ｃがワッシャーによって固定されており、この止めリング１６ｃと前記第２のアーム１８における前記継手部１８ａとの間にスプリング１９が張設されている。さらに、第２のアーム１８のリング状突条１８ｂが継手管１６の円筒部１６ｄと摺接されている。
【００３１】
従って、第１のアーム１３の継手部１３ｂは、継手管１６の継手部１６ａと第２のアーム１８の継手部１８ａとの間で弾性的に挟まれた状態となっており、かつ、スプリング１９のバネ力によって第２のアーム１８の継手部１８ａが第１のアーム１３の継手部１３ｂ側に押圧されているので、第１のアーム１３から第２のアーム１８および継手管１６が抜け出ることがなく、かつ、第１のアーム１３に対して第２のアーム１８は３６０度方向に対して自由に回動できるようになっている。なお、第２のアーム１８における継手部１８ａは第１のアーム１３の継手部１３ｂと外周面で摺接される。
【００３２】
前記中継管１７の前記継手パイプ１５ａが接続された端部とは反対側の端部１７ｂにはＯリングによって水密状態に接続された噴霧管２０が接続されており、該噴霧管２０の先端は第２のアーム１８に一定的に形成された閉止部１８ｃによって閉塞されている。前記噴霧管２０には第２のアーム１８に形成された噴霧口１８ｄに向かって蒸気を噴出する噴霧口２０ａが形成されている。
【００３３】
このように構成された第１および第２のアーム１３，１８との接続構造にあっては、第１のアーム１３に対して第２のアーム１８は３６０度方向に回動するので、簡単な構造の継手によってタンク７よりの蒸気を第１の蒸気管１０、第２の蒸気管１５および噴霧管２０を介して噴霧口２０ａより自由な方向に向かって噴霧することができ、従って、理美容用等の椅子に寝ている施術者の顔に対して噴霧することができることとなる。
【００３４】
次に、第２の実施の形態を図７と共に説明する。なお、前記した図６と同一符号は同一部分を示し説明は省略する。
この実施の形態にあっては、前記継手パイプ１５ａを前記噴霧管２０の後端に蒸気洩れはないがＯリング等で回動可能に接続されている。
【００３５】
また、前記第２のアーム１８の前記継手部１８ａの先端側に、前記継手パイプ１５ａを挿通した状態で摺動自在に摺動管２１を挿入し、該摺動管２１の先端側に図において右方向に抜け出るのを防止するストッパ２１ａを取付け、さらに、摺動管２１の後端側に前記第１のアーム１３に形成された継手部１３ｂの内周面で摺接する半球状の継手部材２２を嵌挿し、かつ、摺動管２１の先端側の鍔部２１ｂと継手部材２２の凹部２２ａとの間に、該継手部材２２の円弧面を継手部１３ｂに向かって押圧するためのスプリング２３を介在させたものである。
【００３６】
このように構成された第２の実施の形態にあっても、第１のアーム１３における継手部１３ｂは、第２のアーム１８の継手部１８ａと継手部材２２との間にスプリング２３によって弾性的に挟み込まれた状態で回動自在となっているので、噴霧管２０を介して噴霧口２０ａより自由な方向に向かって噴霧することができ、従って、理美容用等の椅子に寝ている施術者の顔に対して噴霧することができることとなる。
【００３７】
図７は第３の実施の形態を示し、前記した２つの実施の形態と同一符号は同一部分を示し説明は省略する。
この実施の形態にあっては、前記した第２の蒸気管１５の先端は、前記第１のアーム１３に複数個所においてネジ止め等によって外側パイプ部２４ａが固定された固定部材２４における内側パイプ部２４ｂに接続されている。
【００３８】
この固定部材２４の先端側２４ｃには円筒状の支持部材２５の一端がネジ止め固定され、この支持部材２５内には噴霧管２０の延長部２０ｂに固定されたボール２０ｃが挿入されている。そして、ボール２０ｃは支持部材２５内に収容された一対の滑りリング２５ａの間に位置するように構成され、かつ、支持部材２５内に収容されたスプリング２６によってガタが生じないように押圧されている。
【００３９】
このように構成された第２の実施の形態にあっても、ボール２０ｃが支持部材２５内において自由に回動できるので、第２の蒸気管１５よりの蒸気は支持部材２５を介して噴霧管２０内に導入されるので、理美容用等の椅子に寝ている施術者の顔に対して噴霧することができることとなる。
【００４０】
前記した制御ボックス３における蒸気導出管３ｈに、蒸気が送出される方向に向かって風を送る送風機２７を取付け、噴霧口２０ａから噴霧される蒸気の温度を調整したり蒸気量を調整することによって、より細かな施術を行うことも可能である。
【００４１】
なお、送風機２７よりの風量を調整することで温度および蒸気量が変化することは当然のことである。また、送風機２７の送風口には、弁が設けられており、送風機２７が動作していない状態時には蒸気導入管３ｈよりの蒸気が送風機２７に進入しないようにし、送風機２７を動作させた時には弁が開放され風が蒸気導入口３ｈ内に送風されるように構成されている。
【００４２】
【発明の効果】
本発明は前記したように、第１のアームと第２のアームとの接合部に互いに係合可能に形成された球状の継手部を形成すると共に、スプリングのバネ力によって継手部を互いに結合する方向にバネ付勢したので、第２のアームは第１のアーム先端であらゆる方向に回動することとなり、従って、被施術者の顔に蒸気噴霧口を近づけたり遠ざけたりする作業が非常に簡単に行え、また、スプリングによって継手部を付勢したことにより、接合部の動きがスムーズとなって操作が行い易いものである。
【００４３】
また、第１のアーム内には蒸気が導入される蒸気管が設けられており、該蒸気管は第１アームの内周面に形成された少なくとも１個の補強を兼ねるリブに取付けられた耐熱性ゴム等の支持リングによって位置決め保持されているので、蒸気管がガタなく支持される等の効果を有するものである。
【図面の簡単な説明】
【図１】本発明に係る理美容用蒸気発生装置の全体を示す斜視図である。
【図２】同上の要部を示す断面図である。
【図３】同上のＡ−Ａ線断面図である。
【図４】図３のＢ−Ｂ線断面図である。
【図５】タンクを底板に押圧するための構造を示す断面斜視図である。
【図６】蒸気噴出部分の第１の実施の形態を示す断面図である。
【図７】同上の第２の実施の形態を示す断面図である。
【図８】同上の第３の実施の形態を示す断面図である。
【図９】（ａ）はヒーターの制御回路を示すブロック図、（ｂ）は動作を説明するためのフローチャートである。
【符号の説明】
７　　　　タンク
１３　　　第１のタンク
１３ａ　　リブ
１３ｂ　　継手部
１４　　　支持リング
１５　　　　　　熱気管
１８　　　第２のアーム
１８ａ　　継手部
１９　　　スプリング
２０ａ　　噴霧口
【図１】
2004121665.tif 000003
【図２】
2004121665.tif 000004
【図３】
2004121665.tif 000005
【図４】
2004121665.tif 000006
【図５】
2004121665.tif 000007
【図６】
2004121665.tif 000008
【図７】
2004121665.tif 000009
【図８】
2004121665.tif 000010
【図９】
2004121665.tif 000011